(57)【要約】  【課題】機能性とセキュリティ性に優れるとともに、ファッション性をも加味した衣服を提供する。  【解決手段】後身頃２と、後身頃２の左右にそれぞれ位置する左前身頃３及び右前身頃１と、これら左右の前身頃の端部に見返し部４、５を有してなるトラベルウエア５０（衣類）である。このトラベルウエア５０の裏側には、左前身頃３と後身頃２及び右前身頃１を横断するステッチ線６が設けられているとともに、左前身頃３又は右前身頃１の下端と、ステッチ線６との間には、ファスナー７ａが上部に有するファスナー付きポケット７と、開口部８ａを上部に有する第１ポケット８と、側方に出し入れ口を有する第２ポケット９とが併設されている。  【選択図】図１
0003133288.tif 000002
【実用新案登録請求の範囲】
【請求項１】
後身頃と、後身頃の左右にそれぞれ位置する左前身頃及び右前身頃と、これら左右の前身頃の端部に見返し部を有してなる衣類であって、
該衣類の裏側に、
前記左前身頃、後身頃及び右前身頃を横断するステッチ線が設けられていると共に、
前記左前身頃又は右前身頃の下端と、前記ステッチ線との間には、ファスナーが上部に位置するファスナー付きポケットと、開口部を上部に有する第１ポケットと、側方に出し入れ口を有する第２ポケットと、が併設されてなることを特徴とする衣類。
【請求項２】
請求項１に記載の衣類において、
前記ファスナー付きポケットは、貴重品入れであり、前記第１ポケットは、携帯電話入れであり、前記第２ポケットは、ポケットティッシュペーパ入れであり、
前記左前身頃又は右前身頃の見返し部の上部には、側方からの出し入れが可能な手帳等の収納用の内ポケットが設けられ、
さらに、前記各ポケットが設けられていない他方の前身頃の下端と前記ステッチ線との間には、上部にファスナーを有するファスナー付きの大容量ポケットと、上部に開口部を有する音楽プレーヤー等の収納用の中容量ポケットとが併設されるとともに、
該中容量ポケットが設けられている前記左前身頃又は右前身頃の見返し部の上部には、音楽プレーヤー等のコードを挟むタブが設けられてなることを特徴とする衣類。
【請求項３】
請求項１に記載の衣類において、
前記ファスナー付きポケットは、貴重品入れであり、前記第１ポケットは、携帯電話入れであり、前記第２ポケットは、ポケットティッシュペーパ入れであり、
前記左前身頃又は右前身頃の見返し部の上部には、側方からの出し入れが可能な手帳等の収納用の内ポケットが設けられ、
さらに、前記各ポケットが設けられていない他方の前身頃の下端と前記ステッチ線との間には、上部に開口部を有するガイドブック等収納用の大容量メッシュポケットが設けられるとともに、
前記内ポケットが設けられていない前記左前身頃又は右前身頃の見返し部の上部には、上部に開口部を有するペン指しが設けられてなることを特徴とする衣類。
【請求項４】
請求項３に記載の衣類において、
さらに、前記ペン指しの下方に、上方からの出し入れが可能なカード入れが併設されてなることを特徴とする衣類。
【請求項５】
用途がトラベルウエア、ジヤケット、ベスト、スポーツウエア又はハーフコートであることを特徴とする請求項１乃至請求項４のうちのいずれか１項に記載の衣類。
【考案の詳細な説明】
【技術分野】
【０００１】
本考案は、収納性、保型性、ファッション性、機能性及びセキュリティ性などに優れた各種ポケットを備えた衣服に関するものである。
【背景技術】
【０００２】
衣服の裏側にポケットを縫着した衣服は、表側にポケットを設けたものに比べて、ポケットに入れた携帯品に対する保護機能が高く、又、セキュリティ性にも優れるため、従来から多用されており、それら衣服の種類も多岐にわたる。
【０００３】
しかし、近年は、ポケットに入れる携帯品の種類も従来の財布、ハンカチ、ティッシュペーパ等に加えて、通信手段の発達により、携帯電話やデジタルオーディオプレーヤ等の電子携帯品が年齢を問わず増えつつあるのが現状である。
【０００４】
ところで、これらの携帯品は、用途は勿論、個々にその大きさや使用頻度等が異なるため、それらを収容するポケットは衣服の裏側に漫然と配置するのではなく、どの携帯品収納用のポケットを衣服の裏側のどの位置に配置するのかの、機能性やセキュリティ性を考慮したいわゆる裏仕様が問題になる。
【０００５】
加えて、これら内ポケットの衣服は、ポケットから携帯品を取り出す場合はその時に公衆の目に触れることとなるから、衣服の裏側のファッション性も要求される。
【０００６】
これに対し、従来技術においては、例えば特許文献１に裏使用の衣服が提案されているが、これは当該衣服の収納性に重点を置いたもので、上記機能性とセキュリティ性とに優れ、ファッション性をも加味したものではなかった。
【特許文献１】特開２００５−２９９２２号公報(請求項１、図１)
【考案の開示】
【考案が解決しようとする課題】
【０００７】
本考案は、このような状況に鑑みてなされたもので、保型性、機能性及びセキュリティ性などに優れるとともに、ファッション性をも加味した衣服を提供することを目的とする。
【課題を解決するための手段】
【０００８】
上記課題を解決するために、請求項１に係る衣服は、後身頃と、後身頃の左右にそれぞれ位置する左前身頃及び右前身頃と、これら左右の前身頃の端部に見返し部を有してなる衣類であって、該衣類の裏側に、前記左前身頃、後身頃及び右前身頃を横断するステッチ線が設けられていると共に、前記左前身頃又は右前身頃の下端と、前記ステッチ線との間には、ファスナーが上部に位置するファスナー付きポケットと、開口部を上部に有する第１ポケットと、側方に出し入れ口を有する第２ポケットと、が併設されてなることを特徴とするものである。
【０００９】
又、請求項２に係る衣服は、請求項１に記載の衣類において、前記ファスナー付きポケットは、貴重品入れであり、前記第１ポケットは、携帯電話入れであり、前記第２ポケットは、ポケットティッシュペーパ入れであり、前記左前身頃又は右前身頃の見返し部の上部には、側方からの出し入れが可能な手帳等の収納用の内ポケットが設けられ、さらに、前記各ポケットが設けられていない他方の前身頃の下端と前記ステッチ線との間には、上部にファスナーを有するファスナー付きの大容量ポケットと、上部に開口部を有する音楽プレーヤー等の収納用の中容量ポケットとが併設されるとともに、該中容量ポケットが設けられている前記左前身頃又は右前身頃の見返し部の上部には、音楽プレーヤー等のコードを挟むタブが設けられてなることを特徴前記左前身頃又は右前身頃の見返し部の上部には、音楽プレーヤー等のコードを挟むタブが設けられてなることを特徴とするものである。
【００１０】
又、請求項３に係る衣服は、請求項１に記載の衣類において、前記ファスナー付きポケットは、貴重品入れであり、前記第１ポケットは、携帯電話入れであり、前記第２ポケットは、ポケットティッシュペーパ入れであり、前記左前身頃又は右前身頃の見返し部の上部には、側方からの出し入れが可能な手帳等の収納用の内ポケットが設けられ、さらに、前記各ポケットが設けられていない他方の前身頃の下端と前記ステッチ線との間には、上部に開口部を有するガイドブック等収納用の大容量メッシュポケットが設けられるとともに、前記内ポケットが設けられていない前記左前身頃又は右前身頃の見返し部の上部には、上部に開口部を有するペン指しが設けられてなることを特徴とするである。
【００１１】
又、請求項４に係る衣服は、請求項３に記載の衣類において、さらに、前記ペン指しの下方に、上方からの出し入れが可能なカード入れが併設されてなることを特徴とするものである。
【００１２】
又、請求項５に係る衣服は、用途がトラベルウエア、ジヤケット、ベスト、スポーツウエア又はハーフコートであることを特徴とするものである。
【考案の効果】
【００１３】
請求項１に記載の衣服によれば、衣服の裏側の左前身頃又は右前身頃に、これら左前身頃、後身頃及び右前見頃を横断するステッチ線と隣接してポケット類を設けたので、ポケット内部に収納した携帯品に対する保護性とセキュリティ性が高いうえ、ポケット類が左前身頃又は右前身頃の下方に設けられているので、着用者が右利きの場合は左手で左前身頃を開き、次に右手で携帯電話やポケットティッシュペーパなどの携帯品を速やかに取り出すことができる。
【００１４】
一方、左利きの着用者に対しては、ポケット類の配置を右前身頃側にしたものを縫製することにより、同様の効果を得ることができる。
【００１５】
本考案の衣服は、その他、裏面の空いている部分にも種々のポケット類をステッチ線と隣接してオプションとして装着することができ、さらに保型性、機能性とファッション性とを高めることができる。
【００１６】
請求項２に記載の衣服によれば、請求項１の衣服と同様の効果を有するうえ、請求項１の中容量ポケットが設けられている前記左前身頃又は右前身頃の見返し部の上部には、音楽プレーヤー等のコードを挟むタブが設けられてなることを特徴他方の前身頃の下方に、地図や、音楽プレーヤー、小型ラジオなどの旅行に必要な機器類を出し入れすることができる大容量ポケットや中容量ポケットが併設されているので、裏仕様の衣服としての機能性をさらに高めることができる。
【００１７】
又、これら多くのポケット類やそのタブの配色を適宜工夫することにより、ファッション性を高めることもできる。
【００１８】
請求項３に記載の衣服によれば、請求項１の効果に加え、請求項１のポケット類が設けられていない他方の前身頃の下方に、大容量のメッシュポケットが設けられているとともに、ペン指しも設けられているので、地理が不案内の旅行先に行く場合に着用すると好適である。
【００１９】
請求項４に記載の衣服によれば、請求項１〜３のいずれかの効果に加え、ペン指しの下方に上方からの出し入れが可能なカード入れが併設されているので、目的地に到達するまでに多くの交通機関を利用しなければならない場合は切符類を容易に収納でき、紛失することもないので非常に便利である。
【００２０】
請求項５に記載の衣服によれば、請求項１の効果に加え、用途がトラベルウエア、ジヤケット、ベスト、スポーツウエア又はハーフコートに限られず、広く適用できる。
【考案を実施するための最良の形態】
【００２１】
以下、本考案を実施するための最良の形態を一実施例の図面を参照して説明する。
【実施例１】
【００２２】
図１は、請求項１の考案の衣服を例えばベスト様のトラベルウエアとして適用した例の全体図で、トラベルウエアの裏面を示している。
【００２３】
図において、本実施例のトラベルウエア５０は、後身頃２の左右に右前身頃１と、左前身頃３とが縫着されてなるものであり、右前身頃１と左前身頃３のそれぞれのファスナー側（又はボタン側）には、狭幅の見返し部４、５が縫着されている。なお、後身頃２の上部の符号２ａ、２ｂは、それぞれＶ字状のあて布と、ラベルであり、Ｖ字状のあて布２ａは、後身頃２の上部に衿を設けずその代わりにこのあて布を縫着することにより、トラベル向きの機能性とファッション性を高めたものである。
【００２４】
又、右前身頃１、後身頃２及び左前身頃３それぞれの脇下から下端までの略中間部には、右前身頃１、後身頃２及び左前身頃３を横断するステッチ線６を構成する４本のステッチ線６ａ〜６ｄが水平に設けられている。このようなステッチ線を設けると、右前身頃１、後身頃２及び左前身頃３を横一線状に横断するものであるから、トラベルウエア全体の型崩れ防止になるうえ、トラベルウエア全体の強度アップにもなる。又、着用者や購買者にすっきりとした感じを与え、地布の右前身頃１、後身頃２及び左前身頃３との配色を工夫することにより、ワンポイントアクセントとなって見る者にファッショナブルな印象を与えることができる。
【００２５】
さらに、本実施例ではこのステッチ線６ａ〜６ｄは、４本の単なる縫込み線であるが、例えば図示は省略するが、ステッチ線毎に布を前後に重ねてポケット状の重合部を設けるとともに、縦方向にも適当な間隔でステッチ線を設けると、携帯品の大きさに応じた収容量のポケットを容易に作ることができる。
【００２６】
又、ステッチ線６と、左前身頃３の下端との間には、上部にスライドファスナー７ａを有するファスナー付きポケット７と、上部に開口部８ａを有する第１ポケット８と、側方に出し入れ口９ａを有する第２ポケット９とが所定間隔で併設されている。
【００２７】
ここで、次の図２(ａ)の部分拡大図に示すように、ファスナー付きポケット７は、例えば財布などのセキュリティ性の高い携帯品を図の矢印方向から差し入れて収納するためのもので、４本のステッチ線６ａ〜６ｄのうち、ステッチ線６ｂとステッチ線６ｃとの間に設けた開口部７ｂと、この開口部７ｂを水平方向に開閉する前述のスライドファスナー７ａと、第１ポケット８の裏側に設けた図示省略のポケット部とからなる。なお、スライドファスナー７ａの代わりに例えば面ファスナーを用いてもよいことは勿論である。 
【００２８】
第１ポケット８は、例えば携帯電話などの使用頻度の高い携帯品を収納するためのポケットで、その上部には図の矢印方向から差し入れ可能な開口部８ａが設けられ、長方形状のポケット部８ｂがステッチ線により左前身頃３の上に縫着されている。なお、符号８ｃは、ワンポイントの飾りである。
【００２９】
又、携帯品が開口部から自然に外部にこぼれ落ちないようにするためと、セキュリティ性を高めるために、開口部８ａは、例えばストレッチテープ、ゴム編み物などの左右方向の伸縮が可能なテープ状素材で構成されている。この入口部８ｃもスライドファスナーや面ファスナーにしてもよいことは勿論である。  
【００３０】
図２(ｂ)の部分拡大図に示すように、第２ポケット９は、例えばポケットティッシュペーパなどの小物類を収納するためのポケットで、携帯品を容易に出し入れできるようにするために、図の矢印方向から差し入れ可能な開口部９ａが設けられている。この開口部９ａも、ポケット内部に収納した携帯品が自然に外部に出ないようにするために、ポケットの右半分の開口側端部９ｂが、左半分の開口側端部９ｃの裏面に少し入り込んでいる。
【００３１】
これらポケット７〜９の位置としては、衣服の用途に応じて適宜変更してもよく、ポケット７〜９を右前身頃１側に設けてもよい。
【００３２】
又、これらポケット７〜９の取り付け方法としては、図のように左前身頃３(又は右前身頃１)に対して直接縫い付ける方法の他、左前身頃３と、ポケット７〜９の外周部間に上記スライドファスナー７ａを介在させて適宜開閉してもよい。
【００３３】
又、ポケット７〜９の外形形状としては、長方形や正方形等の矩形状にするのが一般的であるが、これにファッション性を考慮して半円形、楕円形、三角形等を組み合わせた形状としてもよい。
【００３４】
又、これらポケット類の具体的な大きさとしては、収納すべき携帯品の大きさを考慮すると、ファスナー付きポケット７については、横が１５〜２５センチで縦が２０〜２５センチ程度、第１ポケット８については、横が７〜１０センチで縦が１０〜１５センチ程度、第２ポケット９については、横が７〜１０センチ程度で縦が１０〜１５センチ程度が好適である。
【００３５】
図３に示すように、本実施例のトラベルウエア５０を着用した場合、ステッチ線６と隣接してトラベルウエア５０の裏側にポケット７〜９を設けたので、トラベルウエア５０の保型性及びファッション性が向上し、ポケット内に収納した携帯品に対する保護性とセキュリティ性が高いうえ、ポケット類が左前身頃３の下方に設けられているので、着用者が右利きの場合は左手で左前身頃３を開き、次に右手で携帯電話やポケットティッシュペーパなどの携帯品を速やかに取り出すことができる。
【００３６】
一方、左利きの着用者に対しては、ポケット類の配置を右前身頃１側にしたものを縫製することにより、同様の効果を得ることができる。
【００３７】
本考案のトラベルウエア５０は、その他、裏面の空いている部分である図３のＡ部、Ｂ部及びＣ部にも種々のポケット類をオプションとして装着することができ、これによりさらに機能性とファッション性を高めることができる。
【実施例２】
【００３８】
図４は、実施例１のトラベルウエア５０において、さらに図３のＡ、Ｂ及びＣ部にもオプション的に機能の異なる複数のポケット類を設けた例のトラベルウエア５０Ａの裏面図であり、請求項２の考案の衣服に対応するものである。なお、本図では実施例１で用いたのと同じ符号のものは同じ符号を付しているので、その説明は省略する。後述する実施例３、４についても同様である。
【００３９】
図４に示すトラベルウエア５０Ａは、前述の実施例１のトラベルウエア５０に対し、ステッチ線６ａ〜６ｄと、ポケット７〜９とを有する点は同じであるが、さらに、右前身頃１を横断するステッチ線６ａとステッチ線６ｂとの間に設けた開口部１０ａから矢印方向に携帯品を出し入れする大容量ポケット１０と、このポケット１０の表面に位置し、同様に矢印方向に携帯品を出し入れする中容量ポケット１１と、左右の見返し部４、５の上部にそれぞれコード押さえ１２と、縦型内ポケット１３とを設けた点で異なる。
【００４０】
大容量ポケット１０は、例えばガイドブックなどの大きな携帯品を収納するための略長方形状のポケットで、上部の開口部１０ａは面ファスナー１０ｂで開閉でき、他の三辺がステッチ線で袋状に縫製されたものである。この大容量ポケット１０は、特に限定するものではないが、外形形状が前述のファスナー付きポケット７よりも大きく、横が２０〜２５センチで縦が２５〜４０センチ程度のものである。
【００４１】
中容量ポケット１１は、例えば音楽プレーヤーや小型ラジオなどのやや厚みのある小物の携帯品を収納するための略長方形状のポケットで、上記大容量ポケット１０の上面に縫着されており、大容量ポケット１０と同様、上部に開口部１１ａを有し、矢印方向に携帯品を出し入れが可能となっている。このポケット１１の大きさは、前述の第１及び第２ポケット８、９と同程度が好適である。
【００４２】
なお、符号１１ｂは、ステッチ線１１ｃで縫着され、配色を中容量ポケット１１本体の色とは異ならせたループテープであり、他のポケットのものについても同様である。
【００４３】
一方、コード押さえ１２は、例えば中容量ポケット１１に図示しない音楽プレーヤーを収納した場合、これに接続されて装着者の耳に至るまでの図示省略のイヤホンコードをその途中の見返し部４上部において挟むテープ状のタブで、一端部が右前身頃１と見返し部４との間に縫い込まれて固定され、他端部がイヤホンコードを挟んだ状態で面ファスナー１２ａ等で固定されるようになっているものである。
【００４４】
縦型内ポケット１３は、例えば財布や手帳等を図の矢印方向から出し入れするための縦方向に長い内ポケットであり、出し入れ口１３ａが見返し部５の上部に設けられ、図示は省略したが左前身頃３の内部にまで達する内ポケットが設けられている。
【００４５】
なお、出し入れ口１３ａも、スライドファスナーや面ファスナーを用いることによりセキュリティ性を高めてもよいし、その位置を右前見頃１側に設けてもよい。
【００４６】
本実施例のトラベルウエア５０Ａによれば、実施例１のトラベルウエア５０と同様の作用効果を有するうえ、右前身頃１の下方に地図や、音楽プレーヤー、小型ラジオなどの旅行に必要な機器類を出し入れすることができるポケット１０、１１が併設されているので、トラベルウエアとしての機能をさらに高めることができる。
【００４７】
又、これら多くのポケット１０、１１や、コード押さえ１２の素材や、その配色等を適宜工夫することにより、ファッション性を高めることもできる。
【実施例３】
【００４８】
次に、図５は、請求項３の考案の衣服に対応するトラベルウエア５０Ｂの裏面図であり、実施例２のトラベルウエア５０Ａにおいて、実施例２の大容量ポケット１０及び中容量ポケット１１に代えて、右前身頃１のステッチ線６ｃの下方に開口部１４ａを有する大容量メッシュポケット１４を設けるとともに、コード押さえ１２の下方の見返し部４の上にペン指し１５を縫着したものである。
【００４９】
大容量メッシュポケット１４も、実施例２の大容量ポケット１０と同様、例えばガイドブックなどの大きな携帯品を出し入れするための略長方形状のポケットであるが、収納性を高めるためその開口部１４ａの幅は、大容量ポケット１０の開口部１０ａの開口幅よりも広く、右前身頃１の横幅と同一幅にされている。又、図示のごとく大容量メッシュポケット１４の表面は、中身が外部から確認しやすいようにメッシュ状素材が使用されている。このポケット１４は、さらに収納性を高めるために、メッシュ部分が伸縮可能なメッシュ編み物や織物で構成してもよい。このポケット１４の大きさは、縦横とも２０〜４５センチ程度が好適である。
【００５０】
なお、ペン指し１５は、ペン２本が縦方向に差し込みやすいようにポケットを並列に見返し部４上に縫着したものである。
【００５１】
このように、本実施例のトラベルウアエア５０Ｂによれば、大型のメッシュポケット１４が右前身頃１の下部に設けられているとともに、ペン指し１２も設けられているので、地理が不案内の旅行先に行く場合に着用すると好適である。
【実施例４】
【００５２】
図６は、請求項４の考案の衣服に対応するトラベルウエア５０Ｃの裏面図である。
【００５３】
すなわち、本実施例のトラベルウエア５０Ｃは、実施例３のトラベルウエア５０Ｂにおいて、コード押さえ１２に代えて、ペン指し１５の下方に矢印方向から出し入れが可能な、電車などの切符を出し入れするカード入れ１６を縫着したものである。
【００５４】
このように、本実施例のトラベルウエア５０Ｃによれば、実施例１〜３の効果に加え、目的地に到達するまでに多くの交通機関を利用しなければならない場合は切符をカード入れ１６に容易に収納でき、紛失することもないので非常に便利である。
【００５５】
以上に述べた各実施例において、トラベルウエア５０、５０Ａ、５０Ｂ、５０Ｃは、いずれも衿や袖を設けないベスト様のものについて説明したが、勿論これらを設けてもよい。
【００５６】
又、本考案の衣服の態様として、トラベルウエアのみについて説明したが、その他例えばジャケット、ジャンパー、スポーツウエア、ハーフコートなどとしてもよいことは勿論であり、これらも本考案の範囲に含まれる。
【図面の簡単な説明】
【００５７】
【図１】本考案に係る衣服の裏仕様図である。
【図２】図１の衣服の要部拡大図で、このうち図２（ａ）はファスナー付きポケットと第１ポケットの部分拡大図、図２（ｂ）は第２ポケットの部分拡大図である。
【図３】図１の衣服の使用状態図である。
【図４】図１の衣服の変形例図である。
【図５】さらに裏仕様が異なる、図１の衣服の変形例図である。
【図６】さらに裏仕様が異なる、図１の衣服の変形例図である。
【符号の説明】
【００５８】
１    右前身頃
２    後身頃
３    左前身頃
４、５    見返し部
６    ステッチ線
６ａ  ステッチ線
６ｂ ステッチ線
６ｃ ステッチ線
６ｄ ステッチ線
７   ファスナー付きポケット
８   第１ポケット
９   第２ポケット
１０  大容量ポケット
１１  中容量ポケット
１２  コード押さえ
１３  縦型内ポケット
１４  大容量メッシュポケット
１５  ペン指し
１６  カード入れ
５０、５０Ａ、５０Ｂ、５０Ｃ    トラベルウエア(本考案の衣服)
【図１】
0003133288.tif 000003
【図２】
0003133288.tif 000004
【図３】
0003133288.tif 000005
【図４】
0003133288.tif 000006
【図５】
0003133288.tif 000007
【図６】
0003133288.tif 000008